(57)【特許請求の範囲】
【請求項１】
密封単回投与破壊開封パッケージ（１）であって、長手方向（Ｘ）および前記長手方向（Ｘ）に垂直である横方向（Ｙ）を有し、さらに、
半硬質プラスチック材料の第１のシート（２）と、
製品（５）の一回分を含有する密封ポケット（４）を規定するために、半硬質プラスチック材料の前記第１のシート（２）に重ね合わされ、かつ前記第１のシート（２）に対して密封される軟質プラスチック材料の第２のシート（３）と、
事前弱体化領域（６）であって、前記第１のシート（２）を通り抜ける前記製品（５）のための出口開口の形成を引き起こすために、前記密封単回投与破壊開封パッケージ（１）の折り曲げに続いて、前記事前弱体化領域（６）に対応する前記第１のシート（２）の制御された破壊を誘導するように、横方向に延びかつ前記第１のシート（２）の中央領域に得られる前記事前弱体化領域（６）と、を有し、
前記事前弱体化領域（６）は、横方向に向けられかつ前記第１のシート（２）の内部表面（８）を通って得られる単一内部切り込み（７）と、横方向に向けられ、前記第１のシート（２）の外部表面（１０）を通って得られ、かつ前記単一内部切り込み（７）に対して横方向にずらされ、長手方向に前記単一内部切り込み（７）と整列している単一外部切り込み（９）と、を備え、
前記密封単回投与破壊開封パッケージ（１）は、
前記単一外部切り込み（９）が、前記第１のシート（２）の半分だけに影響を及ぼすように、前記第１のシート（２）内に非対称に配置され、
前記単一外部切り込み（９）が、２ｍｍから５ｍｍに及ぶ前記第１のシート（２）の外部エッジからの距離（Ｄ１）に配置され、
前記単一外部切り込み（９）の最大深さ（Ｐ１）が、前記単一内部切り込み（７）の最大深さ（Ｐ２）よりも大きいことを特徴とする、密封単回投与破壊開封パッケージ（１）。
【請求項２】
前記単一外部切り込み（９）が、前記外部表面（１０）上への前記単一内部切り込み（７）の投影に決して重ね合わされないように、前記単一外部切り込みは、前記単一内部切り込み（７）に対して横方向に完全にずらされるように配置される、請求項１に記載の密封単回投与破壊開封パッケージ（１）。
【請求項３】
前記単一外部切り込み（９）の中央端部は、横方向に測定されかつ２ｍｍから８ｍｍに及ぶ前記単一内部切り込み（７）の中央端部からの距離（Ｄ２）に配置される、請求項２に記載の密封単回投与破壊開封パッケージ（１）。
【請求項４】
前記単一外部切り込み（９）の前記最大深さ（Ｐ１）は、前記単一内部切り込み（７）の前記最大深さ（Ｐ２）の少なくとも２倍である、請求項１、２または３に記載の密封単回投与破壊開封パッケージ（１）。
【請求項５】
前記単一外部切り込み（９）の前記最大深さ（Ｐ１）は、１００ミクロンから２００ミクロンに及ぶ、請求項１から４のいずれか一項に記載の密封単回投与破壊開封パッケージ（１）。
【請求項６】
前記単一内部切り込み（７）の前記最大深さ（Ｐ２）は、３０ミクロンから７０ミクロンに及ぶ、請求項１から５のいずれか一項に記載の密封単回投与破壊開封パッケージ（１）。
【請求項７】
前記単一外部切り込み（９）の中央端部は、長手方向中間軸（Ａ）からゼロ以外の横方向距離に配置される、請求項１から６のいずれか一項に記載の密封単回投与破壊開封パッケージ（１）。
【請求項８】
前記単一外部切り込み（９）の側方端部は、前記第１のシート（２）を前記第２のシート（３）に接合する溶接接合部の前記外部表面（１０）上への投影に重ね合わされる、請求項１から７のいずれか一項に記載の密封単回投与破壊開封パッケージ（１）。
【請求項９】
前記単一内部切り込み（７）は、横方向にかつその長さに沿って、可変深さを有する、請求項１から８のいずれか一項に記載の密封単回投与破壊開封パッケージ（１）。
【請求項１０】
前記単一外部切り込み（９）は、横方向にかつその長さに沿って、可変深さを有する、請求項１から９のいずれか一項に記載の密封単回投与破壊開封パッケージ（１）。
【発明の詳細な説明】
【技術分野】
【０００１】
本発明は、密封単回投与破壊開封パッケージに関する。
【背景技術】
【０００２】
国際公開第ＷＯ２００９／０４０６２９Ａ２号パンフレットは、密封単回投与破壊開封パッケージを述べ、そのパッケージは、半硬質プラスチック材料のシートおよび軟質プラスチック材料のシートを備え、軟質プラスチック材料のシートは、一回分の流体製品を含有する密封ポケットを規定するように、半硬質プラスチック材料の第１のシートの上部に置かれ、第１のシートに溶接される。半硬質プラスチック材料のシートは、事前弱体化領域を中央に有し、それは、半硬質プラスチック材料のシートそれ自体を通り抜ける製品のための出口開口の形成を引き起こすために、半硬質プラスチック材料のシートの制御された破壊を誘導する。言い換えれば、密封パッケージを開けるために、半硬質プラスチック材料のシートが、事前弱体化領域に対応して壊れるまで、ユーザは、密封パッケージを手の指でつかみ、密封パッケージを「Ｖ」字形に折り曲げなければならない。事前弱体化領域は、半硬質プラスチック材料のシートの内部表面（すなわち、ポケットに面する表面）を通って得られる内部切り込み、および半硬質プラスチック材料のシートの外部表面を通って得られかつ内部切り込みと整列している外部切り込みを備える。
【０００３】
国際公開第ＷＯ２００９／０４０６２９Ａ２号パンフレットで述べられる密封パッケージは、水平にかつ半硬質プラスチック材料のシート（事前弱体化領域を有する）が下方に向けられた状態で配置されることによって開けられるように設計されている。言い換えれば、製品の正しい出口を確保するために、密封パッケージは、水平にかつ半硬質プラスチック材料のシート（事前弱体化領域を有する）が下方に向けられた状態で配置されなければならず、この位置から出発して、半硬質プラスチック材料のシートが、製品を外に出すために事前弱体化領域に対応して壊れるまで、ユーザは、密封パッケージを「Ｖ」字形に折り曲げなければならない。
【０００４】
最近、密封単回投与パッケージの使用が、提案されており、それは、製品が、比較的小さいサイズの開口（例えば、１センチメートルよりも小さい直径を有する穴）に送り込まれなければならないので、製品出口方向に高精度を必要とする。言い換えれば、ユーザは、密封パッケージを「Ｖ」字形に折り曲げることによって、密封パッケージの下に配置された比較的小さいサイズの開口の中央に命中するように、容易にかつ正確に製品を向かわせることができなければならない。しかしながら、特許出願ＷＯ２００９０４０６２９Ａ２で述べられる密封パッケージは、密封パッケージが水平位置から開けられることを必要とする（その場合密封パッケージは、それの下にありかつ製品によって命中されなければならない開口をユーザの視界から隠し、それ故に動作を複雑にかつ不確かにする）ので、これらの使用に適しておらず、さらに、製品は、比較的偶然でかつほとんど予測できない方向を有して「Ｖ」字に折り曲げられた密封パッケージから流れ出し、それ故に動作をより複雑にかつ不確かにさえする。
【先行技術文献】
【特許文献】
【０００５】
【特許文献１】国際公開第ＷＯ２００９／０４０６２９Ａ２号パンフレット
【発明の概要】
【発明が解決しようとする課題】
【０００６】
本発明の目的は、前述の欠点を取り除くように設計され、特に直接的にかつ比較的低コストで製造することができる、密封単回投与破壊開封パッケージを提供することである。
【課題を解決するための手段】
【０００７】
本発明によると、添付の特許請求の範囲による密封単回投与破壊開封パッケージが、提供される。
【０００８】
本発明は、その限定されない実施形態を示す、付随する図面を参照して今から述べられることになる。
【図面の簡単な説明】
【０００９】
【図１】本発明による密封単回投与破壊開封パッケージの上部斜視図を示す図である。
【図２】図１の密封パッケージの下部斜視図を示す図である。
【図３】図１の密封パッケージの事前弱体化領域に対応する概略横断面図である。
【図４】図１の密封パッケージの底部からの図である。
【図５】密封パッケージそれ自体の開封中の図１の密封パッケージの概略斜視図である。
【図６】図１の密封パッケージの変形の事前弱体化領域に対応する概略横断面図である。
【発明を実施するための形態】
【００１０】
図１および図２では、番号１は、密封単回投与破壊開封パッケージを全体として示す。密封パッケージ１は、長方形の形状を有する半硬質プラスチック材料のシート２および軟質プラスチック材料のシート３を備え、シート３は、流体製品５の一回分を含有する密封ポケット４を規定するために半硬質プラスチック材料のシート２に重ね合わされ、シート２に対して密封される。
【００１１】
図４によると、密封パッケージ１は、長方形の形状を有し、長手方向Ｘ（長方形のより長い辺に平行な）ならびに長手方向Ｘに対して垂直である横方向Ｙ（長方形のより短い辺に平行な）を有する。図４はまた、密封パッケージ１を半分に分ける長手方向中間軸Ａも示す。
【００１２】
半硬質プラスチック材料のシート２は、事前弱体化領域６を中央に有し、それは、半硬質プラスチック材料のシート２の中央領域（特に、長手方向に中央にある領域、すなわち長手方向軸Ｘに沿って中央にある領域）に得られ、横方向に（すなわち、横方向Ｙに平行に、従って半硬質プラスチック材料のシート２のより短い辺に平行に）延び、半硬質プラスチック材料のシート２を通り抜ける製品５のための出口開口の形成を引き起こすために、半硬質プラスチック材料のシート２の制御された破壊を誘導する。言い換えれば、使用時には、密封パッケージ１を開けるために、半硬質プラスチック材料のシート２が、事前弱体化領域６に対応して壊れるまで、ユーザは、密封パッケージ１を手の指でつかみ、密封パッケージ１を「Ｖ」字形に折り曲げなければならない（図５に示されるように）。半硬質プラスチック材料のシート２を事前弱体化領域に対応して壊すことによって、製品５は、簡単にかつ衛生的に密封パッケージ１から外に出すことができる。
【００１３】
図３によると、事前弱体化領域６は、横方向に向けられかつ半硬質プラスチック材料のシート２の内部表面８（すなわち、ポケット４に面する表面）を通って得られる単一内部切り込み７、および横方向に向けられかつ半硬質プラスチック材料のシート２の外部表面１０を通って得られる単一外部切り込み９を備える。より詳細に図４に示されるように、外部切り込み９は、内部切り込み７に対して横方向にずらされ、長手方向に内部切り込み７と整列している、すなわち２つの切り込み７および９は、長手方向に互いに（すなわち、長手方向Ｘに沿って）整列しており、横方向に互いに対して（すなわち、横方向Ｙに沿って）ずらされる。
【００１４】
図３に示される好ましいが拘束力のない実施形態によると、半硬質プラスチック材料のシート２は、外側に配置される支持層１１および内側に配置される（すなわち、軟質プラスチック材料のシート３と接触する）熱密封可能な層１２から成る積層物で構成されている。支持層１１と熱密封可能な層１２との間には、さらなるバリアまたは隔離層１３が提供され、それは、気密性および／または耐光性を確実にする役割を有する。限定されない例として、半硬質プラスチック材料のシート２は、３８０ミクロン（±１０％）の厚さを有する白色ポリスチレン（ＰＳ）の支持層１１、５ミクロン（±１０％）の厚さを有する「Ｅｖｏｈ（エチレンビニールアルコール共重合体）」のバリア層１３、および７０ミクロン（±１０％）の厚さを有するポリエチレン（ＰＥ）の熱密封可能な層１２で構成されてもよい。
【００１５】
外部切り込み９は、半硬質プラスチック材料のシート２の外壁１０内に得られ、半硬質プラスチック材料のシート２、特に半硬質プラスチック材料のシート２の支持層１１を局所的に変形させることによって作られる。
【００１６】
内部切り込み７は、半硬質プラスチック材料のシート２の内壁８内に得られ、「Ｖ」字形であり、半硬質プラスチック材料のシート２、特に半硬質プラスチック材料のシート２の３つの層すべて、すなわち支持層１１、熱密封可能な層１２およびバリア層１３を局所的に変形させることによって作られる。内部切り込み７に対応して、半硬質プラスチック材料のシート２の熱密封可能な層１２およびとりわけバリア層１３は、局所的に変形される（不規則にさえ）が、しかしそれらは、引き裂かれず、それは、それらがそれらの完全性を保つことを意味することに注目すべきである。半硬質プラスチック材料のシート２のバリア層１３の実質的な完全性のおかげで、半硬質プラスチック材料のシート２の内壁８に作られる内部切り込み７に対応してさえ、ポケット４の完全な隔離を確保することが可能であり、それは従って、食品、医薬品または化粧品などの、傷みやすい製品および／または制御された細菌負荷を有する製品を保持するのに適している。明らかに、密封パッケージ１それ自体を「Ｖ」字に折り曲げることによって得られる、密封パッケージ１の破壊開封中に、事前弱体化領域６に対応して、半硬質プラスチック材料のシート２の３つの層すべて、すなわち支持層１１、熱密封可能な層１２およびバリア層１３を壊すことが必要である。
【００１７】
図３および図４によると、外部切り込み９は、半硬質プラスチック材料のシート２の半分だけに影響を及ぼすように、半硬質プラスチック材料のシート２内に非対称に配置される、言い換えれば、外部切り込み９は、半硬質プラスチック材料のシート２の半分内に完全に配置され、従って密封パッケージを対称的に半分に分ける長手方向中間軸Ａの前で止まる（すなわち、外部切り込み９は、長手方向中間軸Ａを横切らない）。結果として、外部切り込み９の中央端部は、長手方向中間軸Ａからゼロ以外の横方向距離（すなわち、横方向に測定される距離）に配置される。
【００１８】
図３および図４によると、外部切り込み９は、２ｍｍから５ｍｍに及ぶ、半硬質プラスチック材料のシート２の外部エッジからの距離Ｄ１に配置される、言い換えれば、外部切り込み９の側方端部は、半硬質プラスチック材料のシート２の外部エッジから（２ｍｍから５ｍｍに及ぶ）距離Ｄ１に配置される。特に、外部切り込み９の側方端部は、半硬質プラスチック材料のシート２を軟質プラスチック材料のシート３に接合する溶接接合部の投影に重ね合わされる。外部切り込み９は、半硬質プラスチック材料のシート２の外部表面１０に対応して得られ、一方２つのシート２および３間の溶接接合部は、半硬質プラスチック材料のシート２の内部表面８に対応して配置され、それ故に外部切り込み９は、２つのシート２および３間の溶接接合部との実際の接点を有さず、他方では、外部切り込み９の側方端部は、半硬質プラスチック材料のシート２の外部表面１０上への２つのシート２および３間の溶接接合部の投影に重ね合わされる。
【００１９】
図３によると、外部切り込み９の最大深さＰ１は、内部切り込み７の最大深さＰ２よりも（著しく）大きく、好ましくは、外部切り込み９の最大深さＰ１は、内部切り込み７の最大深さＰ２の少なくとも２倍である。好ましい実施形態によると、外部切り込み９の最大深さＰ１は、１００ミクロンから２００ミクロンに及び、内部切り込み７の最大深さＰ２は、３０ミクロンから７０ミクロンに及ぶ。
【００２０】
図３および図４によると、外部切り込み９が、決して内部切り込み７の投影に重ね合わされないように、外部切り込みは、内部切り込み７に対して横方向に完全にずらされるように配置される。外部切り込み９は、半硬質プラスチック材料のシート２の外部表面１０に対応して得られ、一方内部切り込み７は、半硬質プラスチック材料のシート２の内部表面８に対応して配置され、それ故に外部切り込み９は、内部切り込み７との実際の接点を有さず、さらに、外部切り込み９の中央端部は、半硬質プラスチック材料のシート２の外部表面１０上への内部切り込み７の中央端部の投影から横方向に間隔を空けられる。好ましくは、外部切り込み９の中央端部は、内部切り込み７の中央端部から距離Ｄ２に配置され、それは、横方向に測定され、ゼロ以外であり（すなわち、ゼロよりも大きく）、好ましくは２ｍｍから８ｍｍに及ぶ。
【００２１】
図３に示される実施形態では、内部切り込み７は、横方向にかつその長さに沿って、可変深さを有し、この特徴は、密封パッケージ１が、「Ｖ」字形に折り曲げられるとき（図５に示されるように）、密封パッケージ１の開封を改善するために好ましい。言い換えれば、内部切り込み７が、横方向にかつその長さに沿って、可変深さを有するという事実は、密封パッケージ１が、「Ｖ」字形に折り曲げられるとき（図５に示されるように）、ユーザが半硬質プラスチック材料のシート２の漸進的な開封を得ることを可能にする。図３に示される実施形態では、外部切り込み９は、横方向にかつその長さに沿って、可変深さを有し、この特徴は、外部切り込み９がまた、横方向にかつその長さに沿って、一定の深さを有することもあるので（図６に表される変形に示されるように）、厳密には必要でない。図３に示される実施形態では、切り込み７および８は両方とも、それらの横断面図において、「Ｖ」字形を有し、従って、それらは、中央に最大深さを有し、本明細書で示されない他の実施形態によると、切り込み７および８はまた、それらの横断面図において、「Ｖ」字形とは異なる形状を有することもある。
【００２２】
図５によると、密封パッケージ１は、垂直位置において開けられる、すなわち、密封パッケージ１は、垂直方向に向けられ、次いでそれは、半硬質プラスチック材料のシート２が、事前弱体化領域６に対応して壊れるまで「Ｖ」字形に折り曲げられる。密封パッケージ１が、「Ｖ」字形に折り曲げられるとき、半硬質プラスチック材料のシート２は、２つの切り込み７および９間で壊れ、このようにして２つの切り込み７および９を接続するチャンネルの形成を決定し、このチャンネルを通って、ポケット４内に含有される製品５が、流れ出し、製品５は、外部切り込み９に沿って下方に垂直方向に流れ、次いで「Ｖ」字の角の下部領域に対応して密封パッケージ１から去る（図５に示されるように）。「Ｖ」字の角の下部領域は、半硬質プラスチック材料のシート２の無傷の部分（すなわち、外部切り込み９によって影響を受けない部分）で構成され、それは、距離Ｄ１（外部切り込み９の側方端部と半硬質プラスチック材料のシート２の外部エッジとの間に存在する）に等しい長さを有し、「Ｖ」字の角の下部領域は、ユーザが密封パッケージ１から流れ出る製品５の下向きの方向の制御を大幅に改善することを可能にする「噴出口」を生成するので、重要な役割を果たす。
【００２３】
すでに上で述べられたように、外部切り込み９の側方端部と半硬質プラスチック材料のシート２の外部エッジとの間に存在する距離Ｄ１は、２ｍｍから５ｍｍに及び、より小さい値の距離Ｄ１は、ユーザが密封パッケージ１から流れ出る製品５の下向きの方向の良好な制御を得ることを可能にせず、一方より大きい値の距離Ｄ１は、密封パッケージ１から流れ出る製品５の水平方向に向けられる噴出（それらは、明らかに望ましくない）の生成を引き起こす傾向がある。
【００２４】
密封パッケージ１はまた、水平位置において、すなわちそれが、水平方向に向けられるとき、開けられることもあるが、しかしながら、密封パッケージ１は、垂直位置において開けられるように設計されており、それは、密封パッケージ１を開けるために最も頻繁に使用される位置であることに注目すべきである。
【００２５】
付随する図面に示される実施形態では、密封パッケージ１は、長方形の形状を有し、明らかに、審美的理由に起因して、密封パッケージ１はまた、任意の他の形状、円形、楕円形、「ボトル」のような形状、ひし形、五角形、六画形、三角形、正方形、「骨」のような形状を有することもあり得る。明らかに、半硬質プラスチック材料のシート２の外部表面および／または軟質プラスチック材料のシート３の外部表面は、製品５についての情報を表示しかつパッケージの外見を改善する両方のために印刷されてもよい。
【００２６】
上述の密封パッケージ１は、多数の利点を有する。
【００２７】
まず初めに、上述の密封パッケージ１は、垂直位置において開けることができ（図５に示されるように）、このようにして、密封パッケージ１の下に配置される比較的小さいサイズの開口の中央に命中するように、ユーザが製品５を正確に向けることを可能にする。
【００２８】
さらに、製品５は、外部切り込み９に沿って垂直方向に滑り落ち、次いで、重力に起因して、下部の角（外部切り込み９のすぐ下に配置され、外部切り込み９それ自体と整列している）から垂直方向に移動することによって、「Ｖ」字形に折り曲げられる（図５に示されるように）上述の密封パッケージ１から流れ出し、このようにして、製品５は、常に一定でありかつ容易に予測できる方向を有して、「Ｖ」字形に折り曲げられる（図５に示されるように）密封パッケージ１から流れ出し、それ故に製品５が密封パッケージ１の下に配置される比較的小さいサイズの開口の中央に命中することをより容易にさえする。
【００２９】
最後に、上述の密封パッケージ１は、標準的な密封パッケージを作製するために使用される手順に似ている手順を用いて製造されるので、直接的にかつ比較的低コストで製造することができる、すなわち、上述の密封パッケージ１は、標準的な密封パッケージを製造するための既存の機械に少しの簡単な変更を行うことによって製造することができる。
【００３０】
上述の密封パッケージ１では、半硬質プラスチック材料のシート２の破壊は、密封パッケージ１が、かなり大きい角度（典型的には、少なくとも７０〜９０°）だけ横に（すなわち、事前弱体化領域６に平行に）折り曲げられる場合に限り起こり、結果として、密封パッケージ１を取り扱うとき、事前弱体化領域６に対応して半硬質プラスチック材料のシート２を誤って壊す可能性は、まったくありそうもないことに注目すべきである。
【符号の説明】
【００３１】
１  密封パッケージ
２  半硬質プラスチック材料のシート
３  軟質プラスチック材料のシート
４  密封ポケット
５  製品
６  事前弱体化領域
７  内部切り込み
８  内部表面、内壁
９  外部切り込み
１０  外部表面、外壁
１１  支持増
１２  熱密封可能な層
１３  バリア層、隔離層
Ａ  長手方向中間軸
Ｄ１  外部エッジからの距離
Ｐ１  外部切り込みの最大深さ
Ｐ２  内部切り込みの最大深さ
Ｘ  長手方向
Ｙ  横方向
【図１】
0006522112.tif 000002
【図２】
0006522112.tif 000003
【図３】
0006522112.tif 000004
【図４】
0006522112.tif 000005
【図５】
0006522112.tif 000006
【図６】
0006522112.tif 000007